(57)【要約】【課題】検査の内容を容易に認識可能とする。【解決手段】ＲＩＳ端末２において、検査撮影の指示情報を撮影オーダ情報として登録する際に、その検査内容を図示化したシェーマを撮影オーダ情報に付加して登録し、後に読影端末４０において読影対象の患者を示す読影リストを表示する、レポート作成のためのレポート作成画面を表示する場合等、撮影オーダ情報に基づいて検査に関する情報の表示を行う際には、撮影オーダ情報に付加されたシェーマを表示する。【選択図】図１
2006075416.tif 000002
【特許請求の範囲】
【請求項１】
検査の内容を図示化したシェーマを各検査の内容に応じて複数記憶するシェーマ記憶手段と、
検査の内容を指定する指定情報を入力するための操作手段と、
前記操作手段を介して入力された検査内容の指定情報に基づいて医用画像の撮影を指示する撮影オーダ情報を生成するとともに、当該検査内容に対応するシェーマを前記シェーマ記憶手段から取得して当該撮影オーダ情報に付加するオーダ制御手段と、
前記撮影オーダ情報に基づいて検査に関する情報を表示する情報表示手段と、
前記情報表示手段上に撮影オーダ情報に基づいて検査に関する情報を表示する際に、当該撮影オーダ情報に付加されたシェーマをともに表示させる表示制御手段と、
を備えることを特徴とする医用画像システム。
【請求項２】
前記シェーマ記憶手段は、各検査内容のシェーマにその検査内容を示す文字情報を対応付けて記憶し、
前記検査内容の指定情報を入力するための入力画面を表示する操作用表示手段を備え、
前記オーダ制御手段は、前記シェーマ記憶手段に記憶された各シェーマを選択的に前記入力画面上に表示させ、この入力画面において選択されたシェーマに対応する検査内容の文字情報を前記シェーマ記憶手段から取得し、当該取得された検査内容の文字情報と入力画面において前記操作手段を介して入力された検査内容の指定情報とに基づいて撮影オーダ情報を生成することを特徴とする請求項１に記載の医用画像システム。
【請求項３】
前記操作手段を介してシェーマの編集操作が可能であり、
前記オーダ制御手段は、前記操作手段を介してシェーマの編集操作が行われると、編集操作に応じたシェーマの編集処理を実行し、編集処理が行われたシェーマを撮影オーダ情報に付加することを特徴とする請求項１又は２に記載の医用画像システム。
【請求項４】
前記情報表示手段は、検査結果に関するレポートを作成するためのレポート作成画面を表示し、
前記表示制御手段は、前記表示手段上にレポート作成画面を表示する際に、そのレポート作成対象の検査の撮影オーダ情報に付加されたシェーマを当該レポート作成画面に表示させることを特徴とする請求項１〜３の何れか一項に記載の医用画像システム。
【発明の詳細な説明】
【技術分野】
【０００１】
本発明は、検査撮影の指示情報である撮影オーダ情報に基づいて患者を撮影し、撮影により得られた医用画像を出力する医用画像システムに関する。
【背景技術】
【０００２】
医療の分野では、各種情報のデジタル化が進み、診断結果のレポートや、診察記録をデジタル化した電子カルテ等をコンピュータにより作成することが多くなってきている。レポートや電子カルテでは、診断結果等を文字で表すだけでなく、診断対象となった患部を図示化したシェーマ（模式図）により診断結果を示すこともできるようになっている（例えば、特許文献１参照）。作成されたレポートや電子カルテから後に診断対象とされた部位や注目点等を判断する場合、観察者にとっては部位等の情報を文字で認識するよりもシェーマによりパターンで認識した方が内容を把握しやすい。
【０００３】
一方、医用画像のデジタル化も実現されており、そのデータ管理についてはシステム化されている。このようなシステムでは、医用画像の検査撮影時に、撮影対象の部位や、方向、撮影方法、撮影に使用するモダリティ等の医用画像の撮影を指示する撮影オーダ情報が発行され、この撮影オーダ情報に従って撮影が行われて、撮影により得られた医用画像のデータ管理が行われる。
【特許文献１】特開２００２−３０４４６６号公報
【発明の開示】
【発明が解決しようとする課題】
【０００４】
しかしながら、従来から、この撮影オーダ情報は全て文字情報で登録されているため、撮影時や医用画像の読影時に撮影オーダ情報を参照した場合、全て文字によりその検査内容が表示される。検査内容を文字認識する場合、パターン認識する場合に比較して認識に時間を要するとともに、類似文字等により誤認識の割合が高くなる。また、文字の場合、その検査の内容を表現するための情報量が増えるため、情報の肥大化を招く。
【０００５】
本発明の課題は、検査の内容を容易に認識可能な医用画像システムを提供することである。
【課題を解決するための手段】
【０００６】
請求項１に記載の発明は、医用画像システムにおいて、
検査の内容を図示化したシェーマを各検査の内容に応じて複数記憶するシェーマ記憶手段と、
検査の内容を指定する指定情報を入力するための操作手段と、
前記操作手段を介して入力された検査内容の指定情報に基づいて医用画像の撮影を指示する撮影オーダ情報を生成するとともに、当該検査内容に対応するシェーマを前記シェーマ記憶手段から取得して当該撮影オーダ情報に付加するオーダ制御手段と、
前記撮影オーダ情報に基づいて検査に関する情報を表示する情報表示手段と、
前記情報表示手段上に撮影オーダ情報に基づいて検査に関する情報を表示する際に、当該撮影オーダ情報に付加されたシェーマをともに表示させる表示制御手段と、
を備えることを特徴とする。
【０００７】
ここで、検査内容の指定情報とは、検査の目的、重要度、検査の依頼科、検査撮影の撮影条件、検査により重点的に診断すべき部分等、検査全般に係る事項を指定する情報をいい、撮影オーダ情報とは、医用画像の検査撮影に関する事項を指示する情報をいう。
【０００８】
請求項２に記載の発明によれば、請求項１に記載の医用画像システムにおいて、
前記シェーマ記憶手段は、各検査内容のシェーマにその検査内容を示す文字情報を対応付けて記憶し、
前記検査内容の指定情報を入力するための入力画面を表示する操作用表示手段を備え、
前記オーダ制御手段は、前記シェーマ記憶手段に記憶された各シェーマを選択的に前記入力画面上に表示させ、この入力画面において選択されたシェーマに対応する検査内容の文字情報を前記シェーマ記憶手段から取得し、当該取得された検査内容の文字情報と入力画面において前記操作手段を介して入力された検査内容の指定情報とに基づいて撮影オーダ情報を生成することを特徴とする。
【０００９】
請求項３に記載の発明によれば、請求項１又は２に記載の医用画像システムにおいて、
前記操作手段を介してシェーマの編集操作が可能であり、
前記オーダ制御手段は、前記操作手段を介してシェーマの編集操作が行われると、編集操作に応じたシェーマの編集処理を実行し、編集処理が行われたシェーマを撮影オーダ情報に付加することを特徴とする。
【００１０】
請求項４に記載の発明によれば、請求項１〜３の何れか一項に記載の医用画像システムにおいて、
前記情報表示手段は、検査結果に関するレポートを作成するためのレポート作成画面を表示し、
前記表示制御手段は、前記表示手段上にレポート作成画面を表示する際に、そのレポート作成対象の検査の撮影オーダ情報に付加されたシェーマを当該レポート作成画面に表示させることを特徴とする。
【発明の効果】
【００１１】
請求項１に記載の発明によれば、撮影オーダ情報にシェーマを付加し、検査に関する情報を表示する際にはシェーマもともに表示するので、ユーザはシェーマを観察することにより、その検査内容をパターン認識することができる。検査に関する情報を文字で認識するより、パターンで認識する方が認識が容易で内容を把握しやすい。よって、シェーマにより検査内容を容易に把握することができ、検査内容の確認作業に対する負担を軽減することができる。また、指定された検査内容と実際の検査内容とが一致しているか否かをシェーマにより容易に確認することができ、誤診を防ぐことができる。
【００１２】
請求項２に記載の発明によれば、選択されたシェーマに対応する検査内容の文字情報を取得し、撮影オーダ情報を生成するので、検査内容の指定情報を入力するオペレータの入力作業の負担を軽減することができる。
【００１３】
請求項３に記載の発明によれば、シェーマの編集を行うことができるので、予め準備されているシェーマでは表現しきれていない検査内容の詳細部分についても図示化する等、より検査内容を把握しやすいシェーマを作成することができる。
【００１４】
請求項４に記載の発明によれば、撮影オーダ情報に付加されたシェーマを用いてレポート作成画面を表示するので、シェーマを有効活用することができるとともに、レポート作成に適したシェーマを容易に呼び出すことができ、レポート作成時の処理時間を短縮することができる。
【発明を実施するための最良の形態】
【００１５】
本実施の形態では、検査撮影の指示情報を撮影オーダ情報として登録する際に、その検査内容を図示化したシェーマを付加して登録し、後に読影対象の患者を示す読影リストを表示する、レポート作成のためのレポート作成画面を表示する場合等、撮影オーダ情報に基づいて検査に関する情報の表示を行う際には、撮影オーダ情報に付加されたシェーマを表示する例を説明する。
【００１６】
まず、構成を説明する。
図１に、本実施形態における医用画像システム１のシステム構成を示す。
図１に示すように、医用画像システム１は、ＲＩＳ（Radiology Information System）端末２、モダリティ１０、サーバ２０、ＮＡＳ（Network Attached Storage）３０、読影端末４０から構成されており、各装置はＤＩＣＯＭ（Digital Imaging and Communication in Medicine）規格に従って構築された通信ネットワークＮを介して相互にデータの送受信が可能に接続されている。なお、図１に示す各装置の設置台数はその一例であり、設置台数については特に限定しない。
【００１７】
以下、各構成装置について説明する。
ＲＩＳ端末２は、放射線科内の情報を管理する情報管理システムであるＲＩＳにおけるクライアント端末の一つであり、検査撮影の依頼を受け付けて、オーダ登録を行う。オーダ登録とは、医師からの依頼に応じて入力された検査内容の指定情報に基づいて、検査撮影の指示情報である撮影オーダ情報を生成し、記憶することをいう。
【００１８】
図２に、ＲＩＳ端末２の内部構成を示す。
図２に示すように、ＲＩＳ端末２は、制御部２１、操作部２２、表示部２３，通信部２４、ＲＡＭ（Random Access Memory）２５、記憶部２６を備えて構成されている。
【００１９】
制御部２１は、ＣＰＵ（Central Processing Unit）等から構成され、記憶部２６に記憶されるシステムプログラムの他、本発明に係るオーダ登録処理プログラム（図６参照）等をＲＡＭ２５に展開し、当該プログラムとの協働により処理動作を統括的に制御する。
【００２０】
オーダ登録処理では、検査内容の指定情報を入力するための入力画面であるオーダ登録画面を表示部２３に表示させるとともに、撮影部位及び撮影方向の検査内容を示すシェーマを選択可能なシェーマダイアログ画面を表示させる。そして、オーダ登録画面において入力された指定情報を撮影オーダ情報としてオーダファイル２６１に記憶させる一方で、シェーマダイアログ画面において何れかのシェーマが選択されると、当該選択されたシェーマをシェーマファイル２６２から取得し、オーダファイル２６１に記憶させて撮影オーダ情報に付加する。同時に、当該選択されたシェーマに対応付けられている検査内容の文字情報をシェーマファイル２６２から取得し、撮影オーダ情報としてオーダファイル２６１に記憶させる。
【００２１】
なお、選択されたシェーマの編集が指示された場合には、選択されたシェーマの編集画面を表示部２３に表示させ、当該編集画面において操作部２２を介して編集操作が為されると、当該編集操作に応じてシェーマに図形や文字を付加する編集処理を実行し、編集済みのシェーマをオーダファイル２６１に記憶させて撮影オーダ情報に付加する。
すなわち、制御部２１とオーダ登録処理プログラムとの協働により、オーダ制御手段を実現することができる。
【００２２】
操作部２２は、キーボードやマウス、表示部２３と一体に構成されるタッチパネル等を備えて構成される操作手段であり、これらキーボードやマウスによる操作や、タッチパネルにおける操作に対応する操作信号を制御部２１に出力する。
【００２３】
表示部２３は、ＬＣＤ（Liquid Crystal Display）等から構成される操作用表示手段であり、患者受付画面、オーダ登録画面等の各種操作画面を表示する。
【００２４】
通信部２４は、ネットワークインターフェイスカード（以下、ＮＩＣ；Network Interface Cardという）やモデム等の通信用インターフェイスを備えて構成され、通信ネットワークＮ条の外部機器と相互に情報の送受信を行う。例えば、通信部２４は、モダリティ１０に撮影オーダ情報を送信する。
【００２５】
ＲＡＭ２５は、制御部２１によって実行される各種プログラム及びこれらプログラムに係るデータを一時的に記憶するワークエリアを形成する。
【００２６】
記憶部２６は、システムプログラムの他、オーダ登録処理プログラム及び各プログラムで処理されたデータ等を記憶する。
【００２７】
また、記憶部２６は、オーダファイル２６１、シェーマファイル２６２を記憶するシェーマ記憶手段である。
オーダファイル２６１は、オーダ登録された撮影オーダ情報を管理するためのファイルである。オーダファイル２６１には、図３に示すように、各撮影オーダ情報に固有のオーダＩＤに対応付けて撮影オーダ情報が文字情報により記憶されている。撮影オーダ情報としては、撮影対象として指定された患者の患者ＩＤ（各患者を識別するための識別情報をいう。例えば、“１０００１”等の番号）、患者氏名（例えば、“山田太郎”）等の患者情報、撮影予定として指定された撮影日（例えば“2004/9/1"）、撮影部位（例えば、“脊椎（骨）”）、撮影方向（例えば、“正面”）、撮影に使用するモダリティ（例えば、“ＣＲ”）等の撮影に関する撮影情報等が含まれる。そして、各撮影オーダ情報には、その撮影オーダ情報の検査内容を示す図形情報としてオーダ登録処理において登録されたシェーマが付加されている。
【００２８】
シェーマファイル２６２は、検査内容に応じて準備された複数のシェーマを管理するためのファイルである。シェーマファイル２６２には、図４に示すように、各検査内容に応じて設定された複数のシェーマに対応付けて、そのシェーマが示す撮影部位（例えば、“胸部（内臓）”）及び撮影方向（例えば、“正面”）の文字情報が記憶されている。なお、本実施形態では、シェーマが示す検査内容を検査撮影での撮影条件（撮影部位、撮影方向）として説明するが、その他の撮影条件（例えば、撮影に使用するモダリティ等）、或いは検査により重点的に診断すべき部分、検査の重要度等、検査全般に係る事項を検査内容としてシェーマにより図示することとしてもよい。
【００２９】
モダリティ１０は、ＲＩＳ２で生成された撮影オーダ情報に従って、患者を撮影し、その医用画像のデータを生成する。そして、各医用画像を特定するための撮影撮影オーダ情報を生成された医用画像のヘッダ部分に書き込み、医用画像のデータに付帯させるとともに、モダリティの名称、操作者名、撮影部位等の撮影に関するシリーズ情報、医用画像の生成日時、ビット情報等の画像関連情報を医用画像に付帯させてサーバ２０に送信する。
【００３０】
サーバ２０は、モダリティ１０から送信された医用画像のデータを原画像としてＮＡＳ３０に保存する。このとき、保存する原画像に基づいて読影用の圧縮画像やサムネイル画像を生成し、原画像とともにＮＡＳ３０に保存することとする。また、読影端末４０における各読影医のログイン状況を管理し、ログイン認証された読影医に応じてＮＡＳ３０に保存された各医用画像へのアクセス（読み出し）を許可する。
【００３１】
具体的には、ＮＡＳ３０においてログイン認証された読影医に対して読影の担当が割り当てられている患者の医用画像に、その担当読影医を示すフラグを設定し、当該フラグにより示される読影医以外の読影医からのアクセスを禁止する。同時に、医用画像へのアクセスが許可された読影医がログインした読影端末４０に対して、その読影医に担当が割り当てられている患者のリスト情報（以下、読影リスト情報という）を生成し、当該読影リスト情報とともに読影に必要なアプリケーションを送信して（ダウンロードして）、医用画像へのアクセスを許可する。読影リスト情報の生成時には、リスト化された患者の医用画像に付帯された撮影オーダ情報に基づいて、検査に関する情報をその検査内容を示すシェーマとともにリスト化する。
【００３２】
ＮＡＳ３０は、モダリティ１０で生成された原画像や、サーバ２０により生成された圧縮画像、サムネイル画像等の読影用の画像をそれぞれの画像種類に応じたフォルダに記憶する大容量メモリである。また、医用画像に対して作成されたレポート文書のデータを含むレポート情報をレポート保存用のフォルダに記憶する。
【００３３】
読影端末４０は、読影医或いは承認医（読影結果を承認する医師）等のユーザが、医用画像を読影する、レポートを作成する、或いは作成されたレポートを参照するための医用画像表示装置である。
【００３４】
図５に、読影端末４０の内部構成を示す。
図５に示すように、読影端末４０は、制御部４１、操作部４２、表示部４３、通信部４４、ＲＡＭ４５、記憶部４６を備えて構成されている。
【００３５】
制御部４１は、ＣＰＵ等から構成されており、記憶部４６に記憶されている読影処理プログラム等の各種制御プログラムを読み出して、当該プログラムとの協働により、各部の動作を集中制御する。
【００３６】
読影処理では、ログインした読影医に応じた読影リスト情報をサーバ２０から取得し、当該読影リスト情報に基づいて読影対象の各患者を、その患者の検査内容を示すシェーマとともにリスト化した読影リスト画面を生成して表示部４３に表示させる。読影リスト画面において読影対象の患者が選択されると、当該選択された患者の医用画像及び過去レポート情報をＮＡＳ３０から取得し、当該医用画像及び過去レポート情報を用いて生成した読影画面を表示部４２に表示させる。次いで、読影が終了し、レポート作成が指示操作されると、レポート作成対象の検査の撮影オーダ情報に付加されたシェーマを用いてレポート作成画面を生成し、表示部４３に表示させる。そして、レポート作成画面における入力情報に基づいてレポート情報を生成し、通信部４４を介してサーバ２０に送信させる。
すなわち、制御部４１と読影処理プログラムとの協働により、表示制御手段を実現することができる。
【００３７】
操作部４２は、キーボードやマウス、表示部４３と一体型に構成されるタッチパネル等を備えて構成される操作手段であり、これら操作手段の操作に対応する操作信号を制御部４１に出力する。
【００３８】
表示部４３は、ＬＣＤ等を備えて構成される情報表示手段であり、読影画面、レポート作成画面、制御部４１の処理結果等の各種画面データを表示する。なお、ディスプレイは、操作画面用、読影画面用、レポート作成画面用と、複数備えることとしてもよい。
【００３９】
通信部４４は、通信用インターフェイスを備えて構成され、通信ネットワークＮ上の外部機器と相互に情報の送受信を行う。例えば、通信部４４は、ＮＡＳ３０にアクセスし、読影対象の医用画像や過去のレポート情報を受信したり、読影端末４０において生成されたレポート情報をサーバ２０に送信する。
【００４０】
ＲＡＭ４５は、制御部４１によって実行される各種プログラム及びこれらプログラムに係るデータを一時的に記憶するワークエリアを形成する。
【００４１】
記憶部４６は、読影処理プログラム等の各種制御プログラム及び各プログラムで処理されたデータ等を記憶する。
【００４２】
次に、本実施形態における医用画像システム１の動作について説明する。
検査を行う際には、まずＲＩＳ端末２においてオーダ登録が行われ、検査内容を指示する撮影オーダ情報が生成される。以下、図６を参照してＲＩＳ端末２において実行されるオーダ登録処理について説明する。
【００４３】
図６に示すオーダ登録処理では、まず表示部２３において、図７に示すようなオーダ登録画面が表示される（ステップＳ１）。図７に示すように、オーダ登録画面ｄ１では、患者毎に準備されたファイルがディレクトリ階層で示されたファイル領域ｄ１１と、ファイル領域ｄ１１において選択された患者のファイルに既に生成されて記憶されている撮影オーダ情報の一覧を示す一覧領域ｄ１２と、検査内容の指定情報を入力するための入力領域ｄ１３とが表示されている。入力領域ｄ１３には、撮影対象の患者の患者ＩＤ、氏名、性別、年齢等の患者情報の入力領域や、撮影日、モダリティ、撮影部位等の撮影情報の入力領域が含まれている。また、入力領域ｄ１３にはシェーマメニューｄ１４が表示され、このシェーマメニューｄ１４をクリック操作することにより表示されるプルダウンメニューによって、部位毎にシェーマが選択できるように構成されている。
【００４４】
オペレータは、このオーダ登録画面ｄ１において、まずファイル領域ｄ１１において撮影対象の患者のファイルを選択する、或いは新たに作成し、次に入力領域ｄ１３において、今回の検査について医師から提出された指示書に基づいて入力領域ｄ１３に操作部２２を介して患者情報、撮影日及びモダリティの情報を入力する。その後、撮影部位及び撮影方向の情報を入力するが、これらの情報入力時にはまずシェーマメニューｄ１４をクリックして表示されたプルダウンメニューから所望の撮影部位を選択する。
【００４５】
ＲＩＳ端末２では、入力領域ｄ１３にまず患者情報が入力されると、入力された患者情報がオーダファイル２６１に記憶される（ステップＳ２）。次いで、シェーマメニューｄ１４から何れかの撮影部位が選択されると、当該撮影部位に対応するシェーマを選択するためのシェーマダイアログ画面（図８参照）が表示部２３に表示される（ステップＳ３）。
【００４６】
図８に示すように、シェーマダイアログ画面ｄ２では、シェーマメニュー領域ｄ２１と、シェーマ領域ｄ２２が表示されている。このシェーマダイアログ画面ｄ２では、シェーマメニュー領域ｄ２１において各撮影部位の選択候補が表示され、この選択候補のうち選択された撮影部位に対応するシェーマ候補がシェーマ領域ｄ２２において表示される。
【００４７】
オペレータは、このシェーマダイアログ画面ｄ２において、医師により依頼された撮影部位及び撮影方向に対応するシェーマを選択する。例えば、撮影部位として“胸部”が選択された場合、ＲＩＳ端末２では、胸部における内臓部を正面から撮影することを示す“胸部正面（臓）”、側面から撮影することを示す“胸部側面（臓）”、胸部における骨部を正面から撮影することを示す“胸部正面（骨）”、側面から撮影することを示す“胸部側面（骨）”の４つのシェーマ候補が表示される。オペレータは、これらシェーマ候補から医師から依頼された撮影部位及び撮影方向に対応するシェーマ候補を選択する。
【００４８】
ＲＩＳ端末２では、シェーマダイアログ画面ｄ２において何れかのシェーマが選択されると、シェーマダイアログ画面ｄ２からオーダ登録画面ｄ１に切替表示される。そして、選択されたシェーマ及び当該シェーマに設定されている検査内容の文字情報がシェーマファイル２６２から取得され、当該取得されたシェーマがオーダ登録画面ｄ１の入力領域ｄ１３に表示されるとともに、同じく取得された文字情報が撮影部位、撮影方向の項目に自動入力されて表示される（ステップＳ４）。
【００４９】
ここで、シェーマ編集キーｄ１５が押下され、シェーマの編集が指示されると、シェーマ編集画面（図示せず）が表示される。このシェーマ編集画面では、注目領域や撮影方向に関するコメントを示す文字や図形を付加する、或いは撮影オーダ情報の重要度を示す色を塗布するツールアイコンが表示される。オペレータが操作部２２を介してこのツールアイコンを操作すると、ＲＩＳ端末２では、ツールアイコンの操作に応じてシェーマに文字や矢印等の図形がシェーマに付加され、シェーマの編集処理が行われる（ステップＳ５）。
【００５０】
図９及び図１０に、シェーマの編集例を示す。
例えば、“胸部側面（臓）”のシェーマの場合、図９（ａ）に示すように患者の右側又は左側の何れの方向から撮影するかを示す矢印や文字（“右”又は“左”）を付加することとしてもよい。また、図９（ｂ）に示すように読影の注目領域を示す矢印や丸の図形を付加することとしてもよい。
【００５１】
さらに、検査の重要度を示す枠をシェーマに付加することとしてもよい。例えば、図１０に示すように、重要度が高い検査であれば赤色の枠を、重要度が中程度の検査であれば黄色の枠を、重要度が低い検査であれば無色の枠をシェーマに付加する。
【００５２】
シェーマの編集が終了後、撮影オーダ情報の登録を承認するオーダ登録キーｄ１６が押下されると、ＲＩＳ端末２ではオーダＩＤが発行され、当該オーダＩＤに対応付けて、入力領域ｄ１３において入力された文字情報が撮影オーダ情報としてオーダファイル２６１に記憶され、オーダ登録が行われる。同時に、この撮影オーダ情報に対応付けて選択されたシェーマがオーダファイル２６１に記憶され、オーダ登録された撮影オーダ情報にシェーマが付加される（ステップＳ６）。そして、シェーマが付加された撮影オーダ情報がモダリティ１０に配信されると（ステップＳ７）、本処理を終了する。
【００５３】
ＲＩＳ端末２により撮影オーダ情報がモダリティ１０に配信されると、モダリティ１０では当該撮影オーダ情報に基づいて検査の指示情報が表示手段上に表示され、この検査の指示情報の表示時には、その撮影オーダ情報に付加されたシェーマも表示される。そして、表示された指示情報に従って撮影が行われ、撮影により生成された医用画像のデータがサーバ２０に送信される。このとき、画像に関する情報として、撮影オーダ情報、シリーズ情報、画像関連情報等が医用画像データのヘッダ領域に書き込まれる等して医用画像に付帯され、医用画像とともにサーバ２０に送信される。サーバ２０では、医用画像のデータがＮＡＳ３０に保存されるとともに、その医用画像の付帯情報（撮影オーダ情報、シリーズ情報、画像関連情報）に基づいて医用画像がデータベース化され、その入出力が管理される。
【００５４】
次に、ＮＡＳ３０に保存された医用画像を読影端末４０を介して読影し、レポートを作成する際に、読影端末４０及びサーバ２０において実行される読影処理について、図１１を参照して説明する。
【００５５】
図１１に示す読影処理では、まず読影端末４０において読影医によりパスワード等の認証情報が入力され、ログイン操作が行われると（ステップＳ１０１）、当該認証情報がサーバ２０に送信される。サーバ２０では、読影端末４０から受信された認証情報と予めサーバ２０に登録されている各読影医の認証情報とが照合されてログイン認証が行われる（ステップＳ１０２）。
【００５６】
ログイン認証がなされると、サーバ２０では認証された読影医が読影対象とする患者をリスト化した読影リスト情報が生成される。この読影リスト情報は、読影対象とする患者の医用画像の付帯情報（シェーマが付加された撮影オーダ情報、シリーズ情報、画像関連情報等）に基づいて生成され、読影対象とする患者の患者ＩＤ、患者氏名、当該患者についての今回の検査のオーダＩＤ等の検査に関する情報や、その検査内容を示すシェーマ等が含まれる。生成された読影リスト情報は読影端末４０に送信される（ステップＳ１０３）。
【００５７】
読影端末４０では、サーバ２０から読影リスト情報が取得されると、当該読影リスト情報に基づいて読影リスト画面が生成され、表示部４３に表示される（ステップＳ１０４）。
図１２に、読影リスト画面例を示す。
図１２に示すように、読影リスト画面ｄ３では、検査を受けた患者の氏名、その検査のオーダＩＤ、レポート作成状態、検査内容を示すシェーマが患者毎にリスト化されて表示されている。シェーマは、オーダ登録時に登録されたシェーマが表示され、編集された場合は編集済みのシェーマが表示されている。読影医は、この読影リスト画面ｄ３において患者及び検査内容を確認し、読影対象の患者を選択することができる。
【００５８】
そして、読影リスト画面ｄ３において読影対象の患者が選択されると、読影端末４０ではＮＡＳ３０へのアクセスが行われ、選択された患者についての医用画像及び過去レポート情報が取得される（ステップＳ１０５）。そして、当該取得された医用画像及び過去レポート情報が所定のフォーマットで配置された読影画面（図示せず）が生成され、表示部４３に表示される（ステップＳ１０６）。読影画面において、読影医は医用画像や過去レポート情報を参照し、診断を行うことができる。
【００５９】
次いで、読影が終了し、レポート作成の指示操作がなされたか否かが判別され（ステップＳ１０７）、レポート作成の指示操作がなされず、読影が終了していない場合は（ステップＳ１０７；Ｎ）、ステップＳ１０５の処理に戻って読影画面の表示が続行される。一方、レポート作成の指示操作がなされ、読影が終了した場合（ステップＳ１０７；Ｙ）、読影した医用画像に付帯されており撮影オーダ情報に付加されたシェーマを用いてレポート作成画面が生成され、表示部４３に表示される（ステップＳ１０８）。
【００６０】
図１３に、レポート作成画面例を示す。
図１３に示すように、レポート作成画面ｄ４では、読影が行われた患者の氏名、患者ＩＤ、今回の検査の日付（撮影日）、オーダＩＤ、読影を行った医師の氏名、レポート作成の日付等の各種情報がレポートに関するレポート情報ｄ４１として表示されている。なお、読影を行った医師の氏名はステップ１０１でログインした医師の氏名が表示される。レポート情報ｄ４１の下部には、患者からの依頼内容の入力領域ｄ４２、読影結果を示す所見の入力領域ｄ４３、読影結果の要約の入力領域ｄ４４、メモの入力領域ｄ４５が表示されている。また、所見の入力領域ｄ４３では、撮影オーダ情報に付加されたシェーマｄ４６が表示され、当該シェーマｄ４６を編集可能な各種編集ツールのアイコンｄ４７が表示されている。
【００６１】
読影医は、読影結果に基づいて、このレポート作成画面ｄ４の各入力領域ｄ４２〜ｄ４５に情報を入力し、レポートを作成することができる。また、編集ツールアイコンｄ４７を操作してシェーマｄ４６について文字や線、丸等の図形を付加したり、それらの色や線の太さを変更したりと、レポート用に編集を行うことができる。
【００６２】
読影端末４０では、レポート作成画面ｄ４において各入力領域ｄ４２〜ｄ４５に入力された情報に基づいて、レポート情報が生成される。生成されたレポート情報はサーバ２０に送信される（ステップＳ１０９）。
【００６３】
サーバ２０では、読影端末４０からレポート情報が受信されると、当該レポート情報はＮＡＳ３０に転送されて保存されるとともに、このレポートに関する情報がデータベース登録され（ステップＳ１１０）、本処理を終了する。
【００６４】
以上のように、本実施形態によれば、検査についてのオーダ登録時にその検査内容を示すシェーマを登録する。その後の検査撮影時、読影時に撮影オーダ情報に基づいて検査に関する情報を表示する際には、シェーマもともに表示するので、シェーマにより撮影部位や撮影方向等の検査内容をパターン認識することができる。検査内容を文字認識する場合、文字情報から内容を把握するのに時間を要したり、類似文字により検査内容を誤認識する場合がある。よって、パターン認識により視覚的に検査内容の把握が容易となり、撮影時、読影時等における検査内容の確認作業に対する負担を軽減することができる。特に、読影時にはオーダの登録内容と実際の検査による撮影内容が一致しているか否かをシェーマにより容易に確認することができ、誤診を防ぐことができる。
【００６５】
また、撮影オーダ情報に付加されたシェーマを用いてレポート作成画面を表示するので、シェーマを有効活用することができるとともに、レポート作成に適したシェーマを容易に呼び出すことができ、レポート作成時の処理時間を短縮することができる。
【００６６】
さらに、シェーマは編集することができるので、撮影方向を示す矢印を付加する、文字を付加する等、検査内容の詳細部分についても図示化したり、より検査内容を把握しやういように編集することができる。
【００６７】
また、シェーマには、そのシェーマが示す撮影部位、撮影方向を示す文字情報が対応付けて記憶されており、シェーマを付加する際には、選択されたシェーマに対応する検査内容の文字情報が自動的に撮影オーダ情報として登録されるので、オーダ登録時のオペレータの入力作業の負担を軽減することができるとともに、誤入力を防止することができる。
【００６８】
なお、本実施形態では、検査内容として撮影部位、撮影方向、重要度等を示すシェーマの例を示したが、モダリティを示すシェーマをさらに登録することとしてもよい。この場合、例えばＣＴ装置での撮影で得られる画像に模して断面図で図示したシェーマを用いてモダリティを示すこととしてもよいし、ＣＴ装置、ＣＲ装置等、各モダリティの外観を図示化したシェーマを用いることとしてもよい。
【００６９】
また、上記実施形態では、ＲＩＳ端末２においてオペレータがシェーマダイアログ画面から検査内容に対応するシェーマを選択し、ＲＩＳ端末２ではこの選択されたシェーマに対応する撮影部位、撮影方向等の検査内容の文字情報をオーダファイル２６１に自動登録することとしていたが、これに限らず、オペレータが撮影部位、撮影方向等の検査内容を示す文字情報を入力し、ＲＩＳ端末２側で入力された文字情報に対応するシェーマをシェーマファイル２６２から自動選択してオーダファイル２６１に登録することとしてもよい。
【００７０】
また、シェーマダイアログ画面ｄ２では、撮影部位毎にシェーマを選択できるような構成としたが、よく使用するシェーマ候補をユーザ毎に登録しておき、シェーマダイアログ画面ｄ２を表示する際には、ユーザに対応するシェーマ候補を選択的に表示させることとしてもよい。これにより、シェーマ選択時のオペレータの操作負担を軽減することができる。
【図面の簡単な説明】
【００７１】
【図１】本実施の形態における医用画像システム１のシステム構成を示す図である。
【図２】ＲＩＳ端末２の内部構成を示す図である。
【図３】オーダファイル２６１のデータ構成例を示す図である。
【図４】シェーマファイル２６２のデータ構成例を示す図である。
【図５】読影端末４０の内部構成を示す図である。
【図６】ＲＩＳ端末において実行されるオーダ登録処理を説明するフローチャートである。
【図７】オーダ登録画面の一例を示す図である。
【図８】シェーマダイアログ画面の一例を示す図である。
【図９】シェーマの編集例を示す図である。
【図１０】重要度を示すシェーマの編集例を示す図である。
【図１１】読影端末４０とサーバ２０により実行される処理を説明するフローチャートである。
【図１２】読影リスト画面の一例を示す図である。
【図１３】レポート作成画面の一例を示す図である。
【符号の説明】
【００７２】
１    医用画像システム
２    ＲＩＳ端末
２１    制御部
２６    記憶部
２６１    オーダファイル
２６２    シェーマファイル
１０    モダリティ
２０    サーバ
３０    ＮＡＳ
４０    読影端末
【図１】
2006075416.tif 000003
【図２】
2006075416.tif 000004
【図３】
2006075416.tif 000005
【図４】
2006075416.tif 000006
【図５】
2006075416.tif 000007
【図６】
2006075416.tif 000008
【図７】
2006075416.tif 000009
【図８】
2006075416.tif 000010
【図９】
2006075416.tif 000011
【図１０】
2006075416.tif 000012
【図１１】
2006075416.tif 000013
【図１２】
2006075416.tif 000014
【図１３】
2006075416.tif 000015